(57)【要約】  【課題】  有線端末局で複数の端末局の通話をモニタするため、端末局からの圧縮符号化デジタル信号を伸長復号化しているが、通信相手の端末局へは、再度、圧縮符号化しているため、音声劣化が発生する。  【解決手段】  回線制御装置と、上記回線制御装置と結合される有線端末局と、上記回線制御装置と結合される基地局と、上記基地局と無線回線で接続される複数の端末局を有し、上記端末局は、音声信号を圧縮符号化する信号処理部を有し、上記回線制御装置は、基地局からの圧縮符号化信号を受信するＩ／Ｆ部と、回線交換部および音声合成部を有し、上記Ｉ／Ｆ部のデコーダで上記基地局からの圧縮符号化信号の一部を伸長復号化し、上記回線交換部および音声合成部を介して上記有線端末局に供給し、上記基地局からの圧縮符号化信号の他の一部を圧縮符号化信号伝送路および回線交換部を介して他の端末局に送信するように構成される。【選択図】  図１
2008124618.tif 000002
【特許請求の範囲】
【請求項１】
回線制御装置と、上記回線制御装置と結合される有線端末局と、上記回線制御装置と結合される基地局と、上記基地局と無線回線で接続される複数の端末局を有し、上記端末局は、音声信号を圧縮符号化する信号処理部を有し、上記回線制御装置は、基地局からの圧縮符号化信号を受信するＩ／Ｆ部と、回線交換部および音声合成部を有し、上記Ｉ／Ｆ部は、上記基地局からの圧縮符号化信号の一部を伸長復号化するデコーダと、上記基地局からの圧縮符号化信号の他の一部を伝送する圧縮符号化信号伝送路を有し、上記基地局からの圧縮符号化信号の一部を伸長復号化する上記デコーダの出力を上記回線交換部および上記音声合成部を介して上記有線端末局に供給し、上記基地局からの圧縮符号化信号の他の一部を伝送する圧縮符号化信号伝送路の出力を回線交換部を介して他の端末局に送信することを特徴とするデジタル無線通信システム。
【発明の詳細な説明】
【技術分野】
【０００１】
本発明は、デジタル無線通信システムに関し、特に、無線端末局での音声劣化を低減するデジタル無線通信システムに関するものである。
【背景技術】
【０００２】
現在、実用化されているデジタル無線通信システムの一つとして、標準規格ARIB STD-T87（Association of Radio Industries and Businesses-T87）「空港ＭＣＡデジタル無線通信システム」で定められているデジタル無線通信システムがある。このシステムは、例えば、空港エリア内にある航空機の安全性や、各航空会社等のユーザの活動の快適性を確保するという重要な使命を担っている空港向けのマルチチャネルアクセス（ＭＣＡ：Multi Channel Access）無線通信システムである。このようなシステムは、空港以外でも防災無線、消防・救急無線等のシステムが数多く設置されている。なお、以下の説明では、例示のために空港に設けられているデジタル無線通信システムについて説明するが、これらに限定されるものではない。
【０００３】
図３は、例えば、空港内に設けられている従来のデジタル無線通信システムの一例の概略構成を示すブロック図である。図３において、３０１は、空港に設置されているデジタル無線通信システムの回線制御装置、３０２−１、３０２−２、・・・３０２−ｎは、無線基地局を示す。なお、無線基地局を代表する場合は、基地局３０２と称する。３０３−１、３０３−２、・・・３０３−ｎは、基地局３０２−１、３０２−２、・・・３０２−ｎの通信エリアを示す。なお、通信エリアを代表する場合は、通信エリア３０３と称する。３０４−１、・・・３０４−９、３０４−１０、・・・３０４−ｍは、通信エリア３０３内に位置する無線端末局を示している。なお、無線端末局を代表する場合は、端末局３０４と称する。また、端末局３０４は、車両等に搭載された無線機、携帯無線機あるいは情報端末局等を含むものとする。
【０００４】
３０５は、上述のデジタル無線通信システムの運用状態を設定する運用管理装置である。また、３０６−１、・・・３０６−ｐは、回線制御装置３０１に伝送路３０７−１、・・・３０７−ｐで接続された有線端末局を示している。なお、有線端末局を代表する場合は、有線端末局３０６と称する。
【０００５】
回線制御装置３０１は、デジタル無線通信システムにおける基地局３０２および複数の端末局３０４間の通信接続およびサービスエリアの維持、管理を行ない、端末局からの発呼(call)制御あるいは通信ルートの設定を行う制御等を行う。なお、回線制御装置３０１は、基地局３０２と一体に構成される場合と、図３のように場所的に離れた場所に設置される場合もある。この場合、回線制御装置３０１と基地局３０２とは、有線またはマイクロ回線等の伝送路３０８等で接続されるのが一般的である。
【０００６】
また、標準規格ARIB STD-T87で定められているデジタル無線技術を用いたデジタル無線通信システムで使用が許可されている無線キャリア（carrier）周波数割当ての一例を図７に示す。図７において、例えば、上り方向、即ち、端末局→基地局の方向では、４００ＭＨｚ帯の無線キャリアｆで、２５ＫＨｚ巾で、数十波（ｆ１、ｆ２、・・・）が認められている。また、下り方向、即ち、基地局→端末局の方向では、上り方向の無線キャリアから４４．５ＭＨｚ離れた無線キャリアＦで、２５ＫＨｚ巾で、数十波（Ｆ１、Ｆ２、・・・）が認められている。従って、デジタル無線通信システムの通信においては、上り方向ｆ１、ｆ２、・・・、下り方向Ｆ１、Ｆ２、・・・の各周波数が使用される。そして、各システムは、その規模に応じて１又は複数の無線キャリアを使用することができる。
【０００７】
更に、標準規格ARIB STD-T87では、端末局間、例えば、通信エリア３０３の圏内に位置する端末局３０４−１と通信エリア３０３の圏外に位置する端末局とが端末局間直接通信ができるように無線キャリアＷが認められている。この無線キャリアＷも帯域幅２５ＫＨｚで、十数波（Ｗ１、Ｗ２、・・・）が認められている。そして、図３に示されるデジタル無線通信システムでは、基地局３０２−１は、例えば、上り下りのペア波（ｆ１、Ｆ１）、（ｆ２、Ｆ２）、（ｆ３、Ｆ３）を使用し、また、基地局３０２−２、・・・基地局３０２−ｎについても、同様に、それぞれ異なる上り下りのペア波（ｆ、Ｆ）を使用して通信している。
【０００８】
更に、各無線キャリアは、図８に示すようなフレームに分割され、さらにフレームを４つのスロットに分けられた後、そのスロットに制御チャネルＣと通信チャネルＳ１、Ｓ２、Ｓ３、・・・Ｓ１１が割り当てられている。このような通信方式は、ＴＤＭＡ（Time Division Multiple Access）方式のデジタル無線通信システムである。なお、通信チャネルＳ１、Ｓ２、Ｓ３、・・・Ｓ１１を代表する場合は、通信チャネルＳと称する。ここで、１フレームは、例えば、４０ｍｓ、１スロットは、１０ｍｓである。制御チャネルＣは、無線回線の接続制御等を行うチャネルであり、通信チャネルＳは、通話やデータ通信を行うチャネルである。なお、図８では、例えば、通信エリア３０３−１内の上り下りのペア波の内、下り方向Ｆ１、Ｆ２、Ｆ３のみ例示してある。
【０００９】
さて、上述したデジタル無線通信システムにおいて、端末局３０４が基地局３０２、回線制御装置３０１を介して他の端末局３０４あるいは有線端末局３０６と通信する場合について図４を用いて説明する。なお、図４は、説明の都合上、図３に示すデジタル無線通信システムを簡略化し、端末局３０４は、それぞれ１台、有線端末局３０６も１台のみ代表して示してある。図４において、４０１−１、４０１−２、・・・４０１−ｎは、基地局３０２と回線制御装置３０１を接続するためのインターフェース部（以下、Ｉ／Ｆ部と略称する。）である。４０２は、回線交換部であり、端末装置３０４間あるいは端末局３０４と有線端末局３０６間を相互に交換接続するためのものである。４０３は、音声合成部であり、回線交換部４０２から出力される複数の音声信号を合成し、有線端末局３０６に出力する。４０４は、制御部であり、Ｉ／Ｆ部４０１、回線交換部４０２および音声合成部４０３をそれぞれ制御している。なお、図３と同じものには同じ符号が付されている。
【００１０】
また、無線端末局３０４の概略構成を図５に示す。図５において、５０１は、例えば、マイク、５０２は、マイクの音声信号をデジタル信号に変換するＡ／Ｄ変換部、５０３は、デジタル音声信号を、例えば、圧縮符号化する信号処理部である。５０４は、高周波部であり、圧縮符号化されたデジタル信号（以下、圧縮符号化デジタル信号と称する。）を適宜無線回線で送信するための変調処理がなされ、アンテナ５０５から基地局３０２に送信される。一方、基地局３０２からの圧縮符号化デジタル信号は、アンテナ５０５で受信され、高周波部５０４で適宜復調され、信号処理部５０３に供給される。信号処理部５０３では、圧縮符号化デジタル信号を伸長復号し、Ｄ／Ａ変換部５０６でアナログ音声信号に変換され、スピーカ５０７から音声が出力される。
【００１１】
図６は、回線制御装置３０１と有線端末局３０６の具体的な構成を示すブロック図である。図６において、６０１−１、６０１−２は、基地局３０２−１および３０２−２からの圧縮符号化デジタル信号が供給される入力端子、６０２−１、６０２−２は、基地局３０２−１、３０２−２に圧縮符号化デジタル信号を出力するための出力端子である。６０３−１、６０３−２は、基地局３０２−１および３０２−２からの圧縮符号化デジタル信号を伸長復号化するためのデコーダ（Decoder）、６０４−１、６０４−２は、デジタル信号を圧縮符号化するためのエンコーダ（Encoder）である。６０５は、音声合成部から出力されるデジタル信号をアナログ信号に変換するＤ／Ａ変換部である。なお、図３、図４と同じものには同じ符号が付されている。
【００１２】
次に、図４の動作について説明する。例えば、端末局３０４−１が端末局３０４−１０と通話する場合について説明する。まず、音声を送信する端末局３０４−１では、マイク５０１からの音声信号をＡ／Ｄ変換部５０２でデジタル信号に変換し、信号処理部５０３で圧縮符号化し、高周波部５０４、アンテナ５０５から、先に説明した無線キャリアｆ１で、基地局３０２−１に送信する。基地局３０２−１では、受信した圧縮符号化デジタル信号をＩ／Ｆ部４０１−１を介して回線交換部４０２に伝送する。
【００１３】
ここで、回線制御装置３０１の具体的な動作を図６を用いて説明する。基地局３０２−１から受信した圧縮符号化デジタル信号は、Ｉ／Ｆ部４０１−１の入力端子６０１−１を介してデコーダ６０３−１に供給される。デコーダ６０３−１では、圧縮符号化デジタル信号が伸長され、復号化され、デジタル信号となって回線交換部４０２に供給される。回線交換部４０２では、デコーダ６０３−１の出力の一部は、回線交換部４０２を介して音声合成部４０３に供給される（点線６１０で示す。）。そして、デコーダ６０３−１の出力の他の一部は、回線交換部４０２を介してＩ／Ｆ部４０１−２のエンコーダ６０４−２に供給される（点線６１１で示す。）。エンコーダ６０４−２では、デコーダ６０３−１からのデジタル信号を再度、圧縮符号化し、圧縮符号化デジタル信号に変換して出力端子６０２−２から基地局３０２−２に伝送する。基地局３０２−２では、圧縮符号化デジタル信号を無線回線で送信するために適宜信号処理を行い、例えば、先に説明した下り無線キャリアＦ５で端末局３０４−１０に送信する。端末局３０４−１０では、図５に示すように、アンテナ５０５で受信した無線信号を高周波部５０４で復調し、信号処理部５０３で伸長、復号し、Ｄ／Ａ変換部５０６に供給する。Ｄ／Ａ変換部５０６では、信号処理部５０３のデジタル信号をアナログ信号に変換し、スピーカ５０７から音声が出力される。
【００１４】
また、端末局３０４−１０からの音声信号は、前述と同様に、Ａ／Ｄ変換部５０２、信号処理部５０３で圧縮符号化デジタル信号に変換され、高周波部５０４で適宜無線送信に適した信号に変換され、無線キャリアｆ５で基地局３０２−２に送信される。基地局３０２−２で受信された信号は、回線制御装置３０１のＩ／Ｆ部４０１−２のデコーダ６０３−２で伸長、復号され、回線交換部４０２に供給される。そして、デコーダ６０３−２からのデジタル信号出力の一部は、音声合成部４０３に供給される（点線６１２で示す。）。また、デコーダ６０３−２からのデジタル信号出力の他の一部は、回線交換部４０２を介してＩ／Ｆ部４０１−１のエンコーダ部６０４−１に供給される（点線６１３で示す。）。なお、図６に示す回線交換部４０２の点線６１０、６１１、６１２および６１３は、回線交換を模式的に示したものであり、一般的には、電子的な交換機で構成されていることはいうまでもない。
【００１５】
エンコーダ６０４−１では、デコーダ６０３−２からのデジタル信号を、再度、圧縮符号化し、出力端子６０２−１から基地局３０２−１に伝送する。基地局３０２−１では、圧縮符号化デジタル信号を無線伝送に適した信号に変換し、下り無線キャリアＦ１で端末局３０４−１に送信する。端末局３０４−１では、アンテナ５０５で受信した無線信号を高周波部５０４で復調し、信号処理部５０３で伸長、復号し、Ｄ／Ａ変換部５０６に供給する。Ｄ／Ａ変換部５０６では、信号処理部５０３のデジタル信号をアナログ信号に変換し、スピーカ５０７から音声が出力される。このようにして端末局３０４−１は、端末局３０４−１０と通話することができる。なお、他の端末局３０４間の通話についても上記端末局３０４−１と端末局３０４−１０との通話と同様にして通話することができることはいうまでもない。
【００１６】
一方、回線交換部４０２から音声合成部４０３を介して有線端末局３０６に伝送されるデジタル音声信号について説明する。図４に示される複数の基地局３０２からＩ／Ｆ部４０１を介してデジタル信号に変換された信号は、回線交換部４０２を介して音声合成部４０３に供給される。そして、音声合成部４０３では、複数の端末局３０４からのデジタル音声信号がデジタル加算され、有線端末局３０６に伝送される。有線端末局３０６では、入力された複数の端末局３０４からのデジタル音声信号がＤ／Ａ変換部６０５で、アナログ信号に変換され、スピーカ（図示せず。）から複数の端末局３０４からの音声を聞くことができる。従って、有線端末局３０６のスピーカから出力される複数の端末局３０４からの音声信号を聞くことによって各端末局３０６の各音声信号のモニタをすることが可能である。なお、有線端末局３０６のスピーカからは、複数の端末局３０４からの音声信号が出力されるが、複数の音声は、それぞれ音色や音質が異なっているので、聞き分けは可能である。
【００１７】
而して、上述したように従来のデジタル無線通信システムでは、有線端末局で複数の通話を受話するため、端末局からの圧縮符号化デジタル信号を、一旦、Ｉ／Ｆ部で伸長、復号し、これを音声合成部で合成後に有線端末局でモニタしている。一方、端末局の通信相手の他の端末局へは、一旦、Ｉ／Ｆ部で伸長、復号したデジタル音声信号を、再度、Ｉ／Ｆ部で圧縮、符号化し、無線区間に伝送している。そのため無線区間の音声データは、２回の圧縮符号化と、伸長復号化を行うため、端末局で再生される音声信号に音声劣化が発生する。従って、端末局での音声劣化を低減できるデジタル無線通信システムの実現が望まれている。
【００１８】
【特許文献１】特開２００１−１７７４６５号公報
【発明の開示】
【発明が解決しようとする課題】
【００１９】
有線端末局で複数の端末局の通話を受話するため、端末局からの圧縮符号化デジタル信号を、一旦、伸長復号化している。また、端末局の通信相手の他の端末局へは、再度、圧縮符号化し、無線区間に伝送するため、音声劣化が発生する。従って、端末局での音声劣化を低減できるデジタル無線通信システムの実現が望まれている。
【００２０】
本発明の目的は、無線端末局での音声劣化を低減するデジタル無線通信システムを提供することである。
【００２１】
本発明の他の目的は、簡単な構成で音声劣化を低減するデジタル無線通信システムを提供することである。
【００２２】
本発明の更に他の目的は、複数の端末局の音声がモニタでき、かつ、無線端末局での音声劣化を低減するデジタル無線通信システムを提供することである。
【課題を解決するための手段】
【００２３】
本発明のデジタル無線通信システムは、回線制御装置と、上記回線制御装置と結合される有線端末局と、上記回線制御装置と結合される基地局と、上記基地局と無線回線で接続される複数の端末局を有し、上記端末局は、音声信号を圧縮符号化する信号処理部を有し、上記回線制御装置は、基地局からの圧縮符号化信号を受信するＩ／Ｆ部と、回線交換部および音声合成部を有し、上記Ｉ／Ｆ部は、上記基地局からの圧縮符号化信号の一部を伸長復号化するデコーダと、上記基地局からの圧縮符号化信号の他の一部を伝送する圧縮符号化信号伝送路を有し、上記基地局からの圧縮符号化信号の一部を伸長復号化する上記デコーダの出力を上記回線交換部および上記音声合成部を介して上記有線端末局に供給し、上記基地局からの圧縮符号化信号の他の一部を伝送する圧縮符号化信号伝送路の出力を回線交換部を介して他の端末局に送信するように構成される。
【００２４】
また、本発明のデジタル無線通信システムにおいて、上記基地局は、少なくとも２つの第１と第２の基地局を有し、上記回線制御装置のＩ／Ｆ部は、上記第１と第２の基地局からの圧縮符号化信号を受信する第１と第２のＩ／Ｆ部を有し、上記第１のＩ／Ｆ部は、上記第１の基地局からの上記圧縮符号化信号の一部を伸長復号する第１のデコーダと、上記第１の基地局からの上記圧縮符号化信号の他の一部を伝送する第１の圧縮符号化信号伝送路および上記第１の基地局に出力する第２の圧縮符号化信号伝送路を有し、上記第２のＩ／Ｆ部は、上記第２の基地局からの上記圧縮符号化信号の一部を伸長復号する第２のデコーダと、上記第２の基地局からの上記圧縮符号化信号の他の一部を伝送する第３の圧縮符号化信号伝送路および上記第２の基地局に出力する第４の圧縮符号化信号伝送路を有し、上記第１の基地局からの圧縮符号化信号の一部を上記第１のＩ／Ｆ部の第１のデコーダで、伸長復号し、上記回線交換部に出力すると共に上記第１の基地局からの圧縮符号化信号の他の一部を上記第１の圧縮符号化信号伝送路および上記回線制御装置を介して上記第２のＩ／Ｆ部の第４の圧縮符号化信号伝送路に送信するように構成される。
【発明の効果】
【００２５】
以上説明したように、本発明によれば、無線区間での符号化を１度にすることで、端末局での音声劣化を低減することができる。また、簡単な構成で音声劣化を低減すると共に、複数の端末局の音声がモニタでき、かつ、無線端末局での音声劣化を低減するデジタル無線通信システムを実現することができる。
【発明を実施するための最良の形態】
【００２６】
まず、本発明を説明する前に、音声劣化について更に詳細に説明する。まず、端末局３０４、例えば、端末局３０４−１について、図５で説明したように、端末局３０４−１のマイク５０１からのアナログ音声信号は、Ａ／Ｄ変換部５０２で、デジタル信号に変換される。このデジタル信号は、信号処理部５０３で、符号化され、圧縮されて無線回線を介して基地局３０２−１に伝送されることを説明した。この時、符号化される符号化方式は、例えば、μ−Ｌａｗ（ミューロウ）とすると、６４Ｋｂｐｓである。ここで、μ−Ｌａｗ（ミューロウ）とは、アナログ音声信号をＰＣＭ（Pulse Code Modulation：パルス符号変調）でデジタル信号に変換する符号化方式の一つであり、Ｇ．７１１として標準化されているものをいう。そして、この６４Ｋｂｐｓの信号を、先に説明したように無線回線の無線キャリアｆ１（帯域幅、例えば、２５ＫＨｚ巾）で送るために帯域を圧縮する。この圧縮方式は、例えば、ＡＭＢＥ（Advanced Multi-Band Excitation）の圧縮方式で圧縮すると、４Ｋｂｐｓに圧縮される。即ち、音声信号は、約１／１６に圧縮される。
【００２７】
さて、このように符号化され、圧縮された圧縮符号化デジタル信号は、図６で説明したように回線制御装置３０１のＩ／Ｆ部４０１−１のデコーダ６０３−１で伸長され、復号され、μ−Ｌａｗ（ミューロウ）の６４Ｋｂｐｓのデジタル信号に伸長復号化される。但し、伸長復号化された６４Ｋｂｐｓのデジタル音声信号は、先に端末局３０４−１で符号化されたμ−Ｌａｗ（ミューロウ）の６４Ｋｂｐｓのデジタル信号とは、異なっている。即ち、ＡＭＢＥ圧縮方式で圧縮された４Ｋｂｐｓの音声信号は、圧縮時にデータが欠落し、元の音声信号には戻らないことを意味している。
【００２８】
次に、回線制御装置３０１のＩ／Ｆ部４０１−１のデコーダ６０３−１で伸長復号化された出力信号（μ−Ｌａｗの６４Ｋｂｐｓのデジタル信号）は、再度、回線制御装置３０１のＩ／Ｆ部４０１−２のエンコーダ６０４−２で、符号化され、圧縮される。ここでの圧縮は、やはりＡＭＢＥ圧縮方式で圧縮された４Ｋｂｐｓの音声信号となり、基地局３０２−２を介して端末局３０４−１０に送信される。そして、端末局３０４−１０の信号処理部５０３で、再度、伸長され、復号されることとなる。従って、エンコーダ６０４−２で、符号化し、圧縮される時、再度、約１／１６に圧縮されるので、ここでも、情報が欠落する。このように２度の圧縮、符号化を繰返すことなり、端末局３０４−１と端末局３０４−１０との通話品質が劣化することになる。このようなことは、他の端末局３０４間の通話においても同様に発生する。なお、上記説明では、μ−Ｌａｗ（ミューロウ）の符号化方式およびＡＭＢＥ圧縮方式で説明したが、他の符号化方式や圧縮方式においても同様のことが起こり得ることはいうまでもない。本発明は、これを改善するものである。
【００２９】
以下、本発明について図１、図２を用いて説明する。なお、デジタル無線通信システムの構成は、図３に示す従来のデジタル無線通信システムと同様であるので、詳細な説明は省略する。図１は、本発明の一実施例を説明するための概略構成のブロック図を示す。図１において、１０２−１、１０２−２、・・・１０２−ｎは、基地局３０２と回線制御装置１０１を接続するためのインターフェース部（以下、Ｉ／Ｆ部と略称する。また、Ｉ／Ｆ部を代表する場合は、Ｉ／Ｆ部１０２と称する。）である。なお、図３および図４と同じものには同じ符号が付されている。回線交換部４０２は、端末装置３０４間あるいは有線端末局３０６間を相互に交換接続するためのものである。音声合成部４０３は、回線交換部４０２から出力される複数の音声信号を合成し、有線端末局３０６に出力する。制御部４０４は、Ｉ／Ｆ部１０２、回線交換部４０２および音声合成部４０３をそれぞれ制御している。また、端末局３０４の具体的な構成は、図５に示す従来の端末局と同じ構成であるので詳細な説明は省略する。
【００３０】
図２は、図１に示す回線制御装置１０１と有線端末局３０６の具体的な構成を示すブロック図である。なお、図３、図４および図６と同じものには同じ符号が付されている。図２において、６０１−１、６０１−２は、基地局３０２−１（第１の基地局ともいう。）および３０２−２（第２の基地局ともいう。）からの圧縮符号化デジタル信号が供給される入力端子、６０２−１、６０２−２は、基地局３０２−１、３０２−２に圧縮符号化デジタル信号を出力するための出力端子である。６０３−１、６０３−２は、基地局３０２−１および３０２−２からの圧縮符号化デジタル信号を伸長し、復号化するためのデコーダ（Decoder）である。また、２０２−１、２０２−２、２０３−１、２０３−２は、圧縮符号化デジタル信号の伝送路、所謂、バイパス伝送路である。６０５は、音声合成部から出力されるデジタル信号をアナログ信号に変換するＤ／Ａ変換部である。なお、圧縮符号化デジタル信号伝送路２０２−１を第１の圧縮符号化デジタル信号伝送路、圧縮符号化デジタル信号伝送路２０３−１を第２の圧縮符号化デジタル信号伝送路、圧縮符号化デジタル信号伝送路２０２−２を第３の圧縮符号化デジタル信号伝送路および圧縮符号化デジタル信号伝送路２０３−２を第４の圧縮符号化デジタル信号伝送路ともいう。
【００３１】
次に、図１の動作について説明する。例えば、端末局３０４−１が端末局３０４−１０と通話する場合について説明する。まず、音声を送信する端末局３０４−１では、マイク５０１からの音声信号をＡ／Ｄ変換部５０２でデジタル信号に変換し、信号処理部５０３で圧縮符号化し、圧縮符号化デジタル信号とし、高周波部５０４、アンテナ５０５から、先に説明した無線キャリアｆ１で、基地局３０２−１に送信する。基地局３０２−１では、受信した圧縮符号化デジタル信号を回線制御装置１０１のＩ／Ｆ部１０２−１（第１のＩ／Ｆ部ともいう。）に伝送する。
【００３２】
Ｉ／Ｆ部１０２−１では、図２に示すように基地局３０２−１から送られた圧縮符号化デジタル信号の一部は、デコーダ６０３−１で、伸長復号化され、デジタル信号として回線交換部４０２に供給される。回線交換部４０２では、このデジタル信号を適宜回線交換し（図２の点線２１０で示す。）、音声合成部４０３に供給される。そして、基地局３０２−１から送られた圧縮符号化デジタル信号の他の一部は、圧縮符号化デジタル信号の伝送路２０２−１を介して回線交換部４０２に供給される。回線交換部４０２では、適宜回線交換され（図２の点線２１１で示す。）、Ｉ／Ｆ部１０２−２（第２のＩ／Ｆ部ともいう。）の圧縮符号化デジタル信号の伝送路２０３−２を経由して圧縮符号化デジタル信号の出力端子６０２−２に供給され、基地局３０２−２に伝送される。基地局３０２−２では、圧縮符号化デジタル信号を無線回線で送信するために適宜信号処理を行い、例えば、先に説明した下り無線キャリアＦ５で端末局３０４−１０に送信する。端末局３０４−１０では、図５に示すように、アンテナ５０５で受信した無線信号を高周波部５０４で復調し、信号処理部５０３で伸長、復号化し、Ｄ／Ａ変換部５０６に供給する。Ｄ／Ａ変換部５０６では、信号処理部５０３からのデジタル信号をアナログ信号に変換し、スピーカ５０７から音声が出力される。
【００３３】
一方、端末局３０４−１０からの音声信号は、前述と同様に、Ａ／Ｄ変換部５０２、信号処理部５０３で圧縮符号化デジタル信号に変換され、高周波部５０４で適宜無線送信に適した信号に変換され、無線キャリアｆ５で基地局３０２−２に送信される。基地局３０２−２で受信された信号は、回線制御装置１０１のＩ／Ｆ部１０２−２に供給される。Ｉ／Ｆ部１０２−２では、基地局３０２−２からの圧縮符号化デジタル信号の一部は、デコーダ６０３−２で伸長復号化され、回線交換部４０２で適宜回線交換され（点線２１２で示す。）、音声合成部４０３に供給される。
【００３４】
基地局３０２−２から送られた圧縮符号化デジタル信号の他の一部は、圧縮符号化デジタル信号の伝送路２０２−２を介して回線交換部４０２に供給される。回線交換部４０２では、適宜回線交換され（図２の点線２１３で示す。）、Ｉ／Ｆ部１０２−１の圧縮符号化デジタル信号の伝送路２０３−１を経由して圧縮符号化デジタル信号の出力端子６０２−１に供給され、基地局３０２−１に伝送される。基地局３０２−１では、圧縮符号化デジタル信号を無線回線で送信するために適宜信号処理を行い、下り無線キャリアＦ１で端末局３０４−１に送信する。端末局３０４−１では、図５に示すように、アンテナ５０５で受信した無線信号を高周波部５０４で復調し、信号処理部５０３で伸長、復号化し、Ｄ／Ａ変換部５０６に供給する。Ｄ／Ａ変換部５０６では、信号処理部５０３からのデジタル信号をアナログ信号に変換し、スピーカ５０７から音声が出力される。なお、図２に示す回線交換部４０２の点線２１０、２１１、２１２および２１３は、回線交換を模式的に示したものであり、一般的には、電子的な交換機で構成されていることはいうまでもない。
【００３５】
このようにして端末局３０４−１と端末局３０４−１０と通話することができる。また、他の端末局３０４間の通話についても上記端末局３０４−１と端末局３０４−１０との通話と同様にして通話することができることはいうまでもない。
【００３６】
一方、回線交換部４０２から音声合成部４０３を介して有線端末局３０６に伝送されるデジタル音声信号について説明する。図１に示される複数の基地局３０２からＩ／Ｆ部１０２のデコーダ６０３で伸長復号化されたデジタル信号は、回線交換部４０２で、適宜回線交換され、音声合成部４０３に供給される。そして、音声合成部４０３では、複数の端末局３０４からのデジタル音声信号がデジタル加算され、有線端末局３０６に伝送される。有線端末局３０６では、入力された複数の端末局３０４からのデジタル音声信号がＤ／Ａ変換部６０５で、アナログ信号に変換され、スピーカ（図示せず。）から複数の端末局３０４からの音声を聞くことができる。従って、有線端末局３０６のスピーカから出力される複数の端末局３０４からの音声信号を聞くことによって各端末局３０６のモニタをすることが可能である。
【００３７】
以上本発明について詳細に説明したように、本発明では、有線端末局３０６で各端末局３０４の音声をモニタするため、各端末局３０４から送られてくる圧縮符号化デジタル信号をデコーダで伸長復号化し、有線端末局３０６に供給しているが、端末局３０４間の通話信号については、回線制御装置１０１内では、圧縮符号化デジタル信号のままで、適宜回線交換し、伝送する構成とすることで、音声信号の伝送に１度の圧縮符号化と伸長復号化で通話が行えるので、音質の劣化の少ないデジタル無線通信システムが実現できる。
【００３８】
以上、本発明について詳細に説明したが、本発明は、ここに記載されたデジタル無線通信システムの実施例に限定されるものではなく、上記以外のデジタル無線通信システムにも広く適応することが出来ることは、言うまでも無い。
【図面の簡単な説明】
【００３９】
【図１】本発明の一実施例の概略構成のブロック図を示す。
【図２】図１に示す本発明の一実施例の回線制御装置および有線端末局の具体的構成を示すブロック図である。
【図３】従来のデジタル無線通信システムの一例を示す図である。
【図４】従来の回線制御装置の構成を示すブロック図である。
【図５】従来の端末局の概略構成を示すブロック図である。
【図６】図４に示す回線制御装置および有線端末局の具体的構成を示すブロック図である。
【図７】従来のデジタル無線通信システムで使用される無線キャリア周波数の関係を説明するための図である。
【図８】従来のデジタル無線通信システムのフレーム構成を説明するための図である。
【符号の説明】
【００４０】
１０１、３０１：回線制御装置、１０２、４０１：Ｉ／Ｆ部、２０２、２０３：伝送路、３０２：基地局、３０３：通信エリア、３０４：端末局、３０５：運用管理装置、３０６：有線端末局、３０７、３０８：伝送路、４０２：回線交換部、４０３：音声合成部、４０４：制御部、５０１：マイク、５０２：Ａ／Ｄ変換部、５０３：信号処理部、５０４：高周波部、５０５：アンテナ、６０１：入力端子、６０２：出力端子、６０３：デコーダ、６０４：エンコーダ、６０５：Ｄ／Ａ変換部。
【図１】
2008124618.tif 000003
【図２】
2008124618.tif 000004
【図３】
2008124618.tif 000005
【図４】
2008124618.tif 000006
【図５】
2008124618.tif 000007
【図６】
2008124618.tif 000008
【図７】
2008124618.tif 000009
【図８】
2008124618.tif 000010